(57)【要約】  本技術は、それぞれの受信機に必要な設定情報を提供することができるようにする情報処理装置、情報処理方法、送信機、送信方法、受信機、受信方法に関する。本技術の一側面の情報処理装置は、情報を送信するための設定に送信機において用いられる設定情報のうちの非共通の設定情報である非共通設定情報を、それぞれの送信機の識別情報と紐付けて保持する。また、情報処理装置は、複数の送信機の間で共通の設定情報である共通設定情報を用いて所定の送信機から送信された識別情報を受信した受信機に対して、受信機により受信された識別情報と紐付けられた非共通設定情報を送信する。本技術は、例えば、送信機から受信機に対して片方向の通信によってデータを送信する通信システムに適用することができる。
2019230439.tif 000002
【特許請求の範囲】
【請求項１】
情報を送信するための設定に送信機において用いられる設定情報のうちの非共通の前記設定情報である非共通設定情報を、それぞれの前記送信機の識別情報と紐付けて保持する管理部と、
複数の前記送信機の間で共通の前記設定情報である共通設定情報を用いて所定の前記送信機から送信された前記識別情報を受信した受信機に対して、前記受信機により受信された前記識別情報と紐付けられた前記非共通設定情報を送信する通信部と
を備える情報処理装置。
【請求項２】
前記通信部は、前記受信機からネットワークを介して送信されてきた前記識別情報を受信し、受信した前記識別情報と紐付けられた前記非共通設定情報を前記ネットワークを介して送信する
請求項１に記載の情報処理装置。
【請求項３】
前記設定情報は、前記送信機から送信された情報を受信するための設定に前記受信機において用いられる
請求項１に記載の情報処理装置。
【請求項４】
前記送信機による前記受信機に対する情報の送信は、片方向の無線通信により行われる
請求項１に記載の情報処理装置。
【請求項５】
情報処理装置が、
情報を送信するための設定に送信機において用いられる設定情報のうちの非共通の前記設定情報である非共通設定情報を、それぞれの前記送信機の識別情報と紐付けて保持し、
複数の前記送信機の間で共通の前記設定情報である共通設定情報を用いて所定の前記送信機から送信された前記識別情報を受信した受信機に対して、前記受信機により受信された前記識別情報と紐付けられた前記非共通設定情報を送信する
情報処理方法。
【請求項６】
情報を送信するための設定に用いる設定情報のうちの、複数の他の送信機との間で共通の前記設定情報である共通設定情報に従って自身の識別情報を送信し、非共通の前記設定情報である非共通設定情報に従って所定の情報を送信する送信部を備える
送信機。
【請求項７】
前記送信部は、前記識別情報を予め決められた周期で繰り返し送信する
請求項６に記載の送信機。
【請求項８】
前記送信部は、前記識別情報の送信周期を時間の経過に応じて長くする
請求項７に記載の送信機。
【請求項９】
前記送信部は、前記識別情報を、前記共通設定情報により表される、前記他の送信機がそれぞれの前記識別情報を送信するときに用いる同期信号と同じ同期信号を付加して送信する
請求項６に記載の送信機。
【請求項１０】
前記送信部は、前記識別情報を、前記共通設定情報により表される、前記他の送信機がそれぞれの前記識別情報を送信するときに用いる多重化方式と同じ方式で多重化して送信する
請求項６に記載の送信機。
【請求項１１】
送信機が、
情報を送信するための設定に用いる設定情報のうちの、複数の他の送信機との間で共通の前記設定情報である共通設定情報に従って自身の識別情報を送信し、
非共通の前記設定情報である非共通設定情報に従って所定の情報を送信する
送信方法。
【請求項１２】
情報を送信するための設定に送信機において用いられる設定情報のうちの、複数の前記送信機の間で共通の前記設定情報である共通設定情報に従って所定の前記送信機から送信された識別情報を受信する受信部と、
非共通の前記設定情報である非共通設定情報をそれぞれの前記送信機の前記識別情報と紐付けて保持する情報処理装置から、受信された前記識別情報に紐付けられた前記非共通設定情報を取得する取得部と
を備える受信機。
【請求項１３】
前記取得部は、受信された前記識別情報をネットワークを介して前記情報処理装置に送信し、前記情報処理装置から前記ネットワークを介して送信されてきた前記非共通設定情報を受信して取得する
請求項１２に記載の受信機。
【請求項１４】
前記受信部は、前記送信機が送信する情報を受信するための設定を前記非共通設定情報に従って行い、前記非共通設定情報と同じ情報を用いて前記送信機から送信されてきた所定の情報を受信する
請求項１２に記載の受信機。
【請求項１５】
前記受信部は、前記共通設定情報により表される、複数の前記送信機がそれぞれの前記識別情報を送信するときに用いる同期信号と同じ同期信号を検出し、前記同期信号に付加して送信されてきた前記識別情報を受信する
請求項１２に記載の受信機。
【請求項１６】
前記受信部は、前記共通設定情報により表される、複数の前記送信機がそれぞれの前記識別情報を送信するときに用いる多重化方式と同じ方式で多重化して送信されてきた前記識別情報を受信する
請求項１２に記載の受信機。
【請求項１７】
受信機が、
情報を送信するための設定に送信機において用いられる設定情報のうちの、複数の前記送信機の間で共通の前記設定情報である共通設定情報に従って所定の前記送信機から送信された識別情報を受信し、
非共通の前記設定情報である非共通設定情報をそれぞれの前記送信機の前記識別情報と紐付けて保持する情報処理装置から、受信された前記識別情報に紐付けられた前記非共通設定情報を取得する
受信方法。
【発明の詳細な説明】
【技術分野】
【０００１】
本技術は、情報処理装置、情報処理方法、送信機、送信方法、受信機、受信方法に関し、特に、それぞれの受信機に必要な設定情報を提供することができるようにした情報処理装置、情報処理方法、送信機、送信方法、受信機、受信方法に関する。
【背景技術】
【０００２】
近年、LPWA(Low Power Wide Area)通信が注目されている。LPWA通信は、端末の消費電力を抑えながら、半径数１０km程度の広い範囲でのデータ伝送を可能とする無線通信である。【０００３】
特許文献１には、LPWA通信を用いた片方向の通信システムが開示されている。特許文献１に記載の通信システムにおいては、送信機は予め決められた送信パラメータに従ってデータを送信し、受信機は、サーバから取得した各送信機の送信パラメータを用いて、各送信機から送信されてきたデータを受信するようになされている。サーバは、各受信機に対して、受信対象とする送信機の送信パラメータを予め提供（登録）しておく必要がある。
【先行技術文献】
【特許文献】
【０００４】
【特許文献１】特許第６２５９５５０号明細書
【発明の概要】
【発明が解決しようとする課題】
【０００５】
送信パラメータの無駄な受信処理が発生しないようにするためには、各受信機の受信エリア内に存在する送信機の送信パラメータだけがサーバから提供されるようにすることが望ましい。【０００６】
本技術はこのような状況に鑑みてなされたものであり、それぞれの受信機に必要な設定情報を提供することができるようにするものである。
【課題を解決するための手段】
【０００７】
本技術の第１の側面の情報処理装置は、情報を送信するための設定に送信機において用いられる設定情報のうちの非共通の前記設定情報である非共通設定情報を、それぞれの前記送信機の識別情報と紐付けて保持する管理部と、複数の前記送信機の間で共通の前記設定情報である共通設定情報を用いて所定の前記送信機から送信された前記識別情報を受信した受信機に対して、前記受信機により受信された前記識別情報と紐付けられた前記非共通設定情報を送信する通信部とを備える。【０００８】
本技術の第２の側面の送信機は、情報を送信するための設定に用いる設定情報のうちの、複数の他の送信機との間で共通の前記設定情報である共通設定情報に従って自身の識別情報を送信し、非共通の前記設定情報である非共通設定情報に従って所定の情報を送信する送信部を備える。【０００９】
本技術の第３の側面の受信機は、情報を送信するための設定に送信機において用いられる設定情報のうちの、複数の前記送信機の間で共通の前記設定情報である共通設定情報に従って所定の前記送信機から送信された識別情報を受信する受信部と、非共通の前記設定情報である非共通設定情報をそれぞれの前記送信機の前記識別情報と紐付けて保持する情報処理装置から、受信された前記識別情報に紐付けられた前記非共通設定情報を取得する取得部とを備える。【００１０】
本技術の第１の側面においては、情報を送信するための設定に送信機において用いられる設定情報のうちの非共通の前記設定情報である非共通設定情報が、それぞれの前記送信機の識別情報と紐付けて保持される。また、複数の前記送信機の間で共通の前記設定情報である共通設定情報を用いて所定の前記送信機から送信された前記識別情報を受信した受信機に対して、前記受信機により受信された前記識別情報と紐付けられた前記非共通設定情報が送信される。【００１１】
本技術の第２の側面においては、情報を送信するための設定に用いる設定情報のうちの、複数の他の送信機との間で共通の前記設定情報である共通設定情報に従って自身の識別情報が送信され、非共通の前記設定情報である非共通設定情報に従って所定の情報が送信される。【００１２】
本技術の第３の側面においては、情報を送信するための設定に送信機において用いられる設定情報のうちの、複数の前記送信機の間で共通の前記設定情報である共通設定情報に従って所定の前記送信機から送信された識別情報が受信され、非共通の前記設定情報である非共通設定情報をそれぞれの前記送信機の前記識別情報と紐付けて保持する情報処理装置から、受信された前記識別情報に紐付けられた前記非共通設定情報が取得される。
【発明の効果】
【００１３】
本技術によれば、それぞれの受信機に必要な設定情報を提供することができる。【００１４】
なお、ここに記載された効果は必ずしも限定されるものではなく、本開示中に記載されたいずれかの効果であってもよい。
【図面の簡単な説明】
【００１５】
【図１】本技術の一実施形態に係る通信システムの構成例を示す図である。
【図２】送信パラメータの管理の例を示す図である。
【図３】送信パラメータの登録の例を示す図である。
【図４】制御フレームの構成例を示す図である。
【図５】送信パラメータの登録の例を示す図である。
【図６】チャープ変調の例を示す図である。
【図７】送信信号の多重化の例を示す図である。
【図８】送信機の構成例を示すブロック図である。
【図９】図８の制御部の機能構成例を示すブロック図である。
【図１０】図８のLPWA通信部の構成例を示すブロック図である。
【図１１】受信機の構成例を示すブロック図である。
【図１２】図１１の制御部の機能構成例を示すブロック図である。
【図１３】図１１のLPWA通信部の構成例を示すブロック図である。
【図１４】クラウドサーバの構成例を示すブロック図である。
【図１５】送信機の送信処理について説明するフローチャートである。
【図１６】受信機の個別パラメータ取得処理について説明するフローチャートである。
【図１７】受信機の受信処理について説明するフローチャートである。
【図１８】クラウドサーバの個別パラメータ提供処理について説明するフローチャートである。
【発明を実施するための形態】
【００１６】
以下、本技術を実施するための形態について説明する。説明は以下の順序で行う。
１．通信システムの全体の動作
２．通信方式の例
３．各装置の構成例
４．各装置の動作
５．変形例
【００１７】
＜通信システムの全体の動作＞
図１は、本技術の一実施形態に係る通信システムの構成例を示す図である。
【００１８】
図１の通信システムは、LPWA(Low Power Wide Area)通信を用いた無線通信システムである。基地局としての受信機は、自身が管理する受信エリア内に存在する送信機が送信するデータを受信する。データの送信は、例えば日本国内においては920MHz帯を用いた片方向の通信によって行われる。
【００１９】
図１の例においては、受信エリアＡ１を管理する受信機Ａと、受信エリアＡ２を管理する受信機Ｂが示されている。受信エリアＡ１と受信エリアＡ２はそれぞれ例えば半径数１０kmのエリアである。
【００２０】
また、図１の例においては、受信エリアＡ１内には送信機Ａが存在し、受信エリアＡ２内には送信機Ｂが存在する。受信機Ａは、送信機Ａが送信するデータを受信する。また、受信機Ｂは、送信機Ｂが送信するデータを受信する。
【００２１】
実際には、さらに多くの受信機が設けられるとともに、さらに多くの送信機がそれぞれの受信エリア内に存在することによって通信システムが構成される。
【００２２】
なお、図１の左端に示すように、送信機Ｃは受信エリアＡ１と受信エリアＡ２のいずれの受信エリアにも存在しない。送信機Ｃが送信するデータは、受信機Ａと受信機Ｂには到達しない。
【００２３】
受信機が建物の屋上や電柱などの所定の位置に固定的に設置される装置であるのに対して、送信機は、例えば、ユーザが携帯したり、自動車などの移動体に取り付けられたりする装置である。送信機の位置は、動く可能性があることになる。
【００２４】
例えば、受信エリアＡ１内に存在する送信機Ａは、あるタイミングでは図１に示すように受信エリアＡ１内に存在することもあるし、他のタイミングでは受信エリアＡ２内や図示せぬ他の受信エリア内に存在することもある。
【００２５】
このような通信システムは、例えば、それぞれの送信機の位置を管理する位置管理システムなどに用いられる。この場合、GPS(Global Positioning System)などを用いた測位機能が送信機には搭載される。
【００２６】
それぞれの送信機は、測位を行うことによって得られた位置情報を例えばデバイスIDとともに周期的に送信する。デバイスIDは、それぞれの送信機に予め割り当てられた識別情報である。
【００２７】
それぞれの受信機は、自身が管理する受信エリア内に存在する送信機から送信されてきた位置情報とデバイスIDを受信し、インターネット上の所定のサーバに送信する。サーバにおいては、それぞれの送信機のデバイスIDと対応付けて、各時刻の位置情報が管理される。サーバにおいて管理されている送信機の位置情報は、送信機の位置、すなわち、送信機を携帯しているユーザの位置を通知するサービスを提供するためなどに用いられる。
【００２８】
送信機から送信されてきた送信データの送信先となるサーバが、クラウドサーバ１であってもよい。
【００２９】
このような通信システムにおいて、それぞれの送信機は、個別の情報としてそれぞれの送信機に設定された送信パラメータを用いてデータの送信を行う。送信パラメータは、データを送信するための設定に用いられる設定情報である。
【００３０】
送信パラメータには、例えば、時分割多重化パラメータ、周波数分割多重化パラメータ、同期パターン情報が含まれる。同期パターン情報は、フレームに付加される同期信号のパターンを表す情報である。
【００３１】
位置情報などの送信データは、後述するように、時分割多重化パラメータと周波数分割多重化パラメータにより表される多重化方式に従って多重化するとともに、同期パターン情報により表されるパターンの同期信号を付加して送信される。
【００３２】
図１の送信機Ａは、自身の送信パラメータを用いてデータを送信する。受信機Ａは、送信機Ａが送信するデータを受信するためには、送信機Ａがデータの送信に用いる送信パラメータと同じ送信パラメータを用いて設定を行っておく必要がある。
【００３３】
同様に、送信機Ｂは、自身の送信パラメータを用いてデータを送信する。受信機Ｂは、送信機Ｂが送信するデータを受信するためには、送信機Ｂがデータの送信に用いる送信パラメータと同じ送信パラメータを用いて設定を行っておく必要がある。
【００３４】
それぞれの送信機の送信パラメータは、クラウドサーバ１において管理されている。
【００３５】
図２は、送信パラメータの管理の例を示す図である。
【００３６】
図２に示すように、それぞれの送信機の送信パラメータは、例えばデバイスIDと紐付けて管理（保持）される。図２の例においては、デバイスIDである「1111111111」、「1111111112」、「1111111113」と紐付けて、送信パラメータＰ１乃至Ｐ３がそれぞれ管理されている。
【００３７】
クラウドサーバ１は、それぞれの受信機においてデータの受信に用いられる送信パラメータをそれぞれの受信機にインターネット２を介して送信し、登録（提供）する。
【００３８】
図３は、送信パラメータの登録の例を示す図である。
【００３９】
クラウドサーバ１は、矢印＃１で示すように、受信機Ａが受信対象とする送信機Ａの送信パラメータを受信機Ａに登録し、矢印＃２で示すように、受信機Ｂが受信対象とする送信機Ｂの送信パラメータを受信機Ｂに登録する。
【００４０】
クラウドサーバ１から送信されてきた送信機Ａの送信パラメータを用いて設定を行うことにより、受信機Ａは、送信機Ａが送信するデータを受信することが可能となる。また、クラウドサーバ１から送信されてきた送信機Ｂの送信パラメータを用いて設定を行うことにより、受信機Ｂは、送信機Ｂが送信するデータを受信することが可能となる。
【００４１】
このように、図１の通信システムにおいては、送信機によるデータの送信が片方向の通信によって行われることから、データの受信前、受信対象とする送信機の送信パラメータをそれぞれの受信機に登録する処理がクラウドサーバ１により行われる。
【００４２】
ここで、図１のタイミングにおいては、受信機Ａは、自身が管理する受信エリアである受信エリアＡ１内に存在する送信機Ａの送信パラメータだけを知っていれば（登録されていれば）十分である。送信機Ｂ，Ｃが送信するデータは到達しないから、送信機Ｂ，Ｃの送信パラメータを受信機Ａは知っておく必要がない。
【００４３】
同様に、受信機Ｂは、自身が管理する受信エリアである受信エリアＡ２内に存在する送信機Ｂの送信パラメータだけを知っていれば十分である。送信機Ａ，Ｃが送信するデータは到達しないから、送信機Ａ，Ｃの送信パラメータを受信機Ｂは知っておく必要がない。
【００４４】
送信パラメータの無駄な受信処理が発生しないようにするためにも、クラウドサーバ１が、それぞれの受信機が必要とする送信パラメータだけを登録することが好ましい。
【００４５】
そこで、図１の通信システムにおいては、それぞれの送信機は、自身が受信エリア内に存在することを受信機に通知するための情報である制御フレームを、予め決められた所定の周期で繰り返し送信するようになされている。
【００４６】
図４は、制御フレームの構成例を示す図である。
【００４７】
図４に示すように、制御フレームは、デバイスIDに同期信号を付加することによって構成される。制御フレームには、データフレームとフレーム構成を合わせるために０ビットのデータで埋める領域として０パディングも含まれる。
【００４８】
このようなフレームフォーマットを有する制御フレームの送信は、全ての送信機に共通の送信パラメータを用いて行われる。共通の送信パラメータには、例えば、共通の時分割多重化パラメータ、共通の周波数分割多重化パラメータ、および、共通の同期パターン情報が含まれる。
【００４９】
制御フレームは、位置情報などと同様に、共通の時分割多重化パラメータと共通の周波数分割多重化パラメータにより表される多重化方式に従って多重化するとともに、共通の同期パターン情報により表されるパターンの同期信号を付加して送信される。
【００５０】
共通の時分割多重化パラメータにより、例えば、１０秒毎に１秒間だけ、制御フレームを送信することが指定される。
【００５１】
また、共通の周波数分割多重化パラメータにより、例えば、上記の１秒間、全てのチャネルを使って制御フレームを送信することが指定される。
【００５２】
共通の同期パターン情報により、例えば、あらかじめ決められた４つのパターンの中からランダムに１つのパターンを選択することで得られた同期信号を付加した制御フレームを送信することが指定される。
【００５３】
制御フレームの送信方式としてデータフレームと同様の通信方式（周波数帯や変調方式）が用いられるようにすることにより、制御フレームを受信できることが、データフレームをも受信できることを保証することになる。ここで、データフレームは、送信機が受信機に伝送したい任意の送信データを格納したペイロードを含むフレームである。
【００５４】
全ての受信機は、共通の送信パラメータの情報を有している。それぞれの受信機は、共通の送信パラメータを用いて設定を行うことにより、自身の受信エリア内に存在する送信機であれば、どの送信機が送信する制御フレームをも受信できることになる。
【００５５】
すなわち、送信パラメータには、制御フレームの送信に用いられる共通のパラメータと、位置情報などの送信データを含むデータフレームの送信に用いられる非共通（個別）のパラメータとがある。
【００５６】
以下、適宜、制御フレームの送信に用いられる送信パラメータを、通信システムの全ての送信機に共通の送信パラメータという意味でシステム共通パラメータという。また、送信データを含むデータフレームの送信に用いられる送信パラメータを、個別パラメータという。
【００５７】
それぞれの受信機は、システム共通パラメータを用いた制御フレームの受信処理を行い、所定の送信機から送信されてきた制御フレームを受信した場合、制御フレームに含まれるデバイスIDに基づいて、個別パラメータをクラウドサーバ１から取得する。
【００５８】
受信機による制御フレームの受信処理は、個別パラメータを用いたデータフレームの受信処理と並行して行われるようにしてもよいし、通信システムにおいて決められたタイミングで行われるようにしてもよい。
【００５９】
図５は、送信パラメータの登録の例を示す図である。
【００６０】
矢印＃１１で示すように、送信機Ａは、システム共通パラメータを用いて、自身のデバイスIDを含む制御フレームを送信する。
【００６１】
送信機Ａが送信する制御フレームをシステム共通パラメータを用いて受信した場合、受信機Ａは、矢印＃１２で示すように、制御フレームに含まれるデバイスIDをインターネット２を介してクラウドサーバ１に送信する。
【００６２】
クラウドサーバ１は、受信機Ａから送信されてきたデバイスIDと紐付けて管理している送信機Ａの個別パラメータを取得し、矢印＃１３で示すように、インターネット２を介して受信機Ａに送信する。
【００６３】
クラウドサーバ１から送信されてきた送信機Ａの個別パラメータを受信した受信機Ａにおいては、個別パラメータを用いた設定が行われる。これにより、受信機Ａは、送信機Ａが送信するデータフレームを受信することができる状態になる。
【００６４】
受信エリアＡ２においても同様の処理が行われる。すなわち、矢印＃２１で示すように、送信機Ｂは、システム共通パラメータを用いて、自身のデバイスIDを含む制御フレームを送信する。
【００６５】
送信機Ｂが送信する制御フレームをシステム共通パラメータを用いて受信した場合、受信機Ｂは、矢印＃２２で示すように、制御フレームに含まれるデバイスIDをインターネット２を介してクラウドサーバ１に送信する。
【００６６】
クラウドサーバ１は、受信機Ｂから送信されてきたデバイスIDと紐付けて管理している送信機Ｂの個別パラメータを取得し、矢印＃２３で示すように、インターネット２を介して受信機Ｂに送信する。
【００６７】
クラウドサーバ１から送信されてきた送信機Ｂの個別パラメータを受信した受信機Ｂにおいては、個別パラメータを用いた設定が行われる。これにより、受信機Ｂは、送信機Ｂが送信するデータフレームを受信することができる状態になる。
【００６８】
このように、システム共通パラメータを用いることにより、送信機は、自身のデバイスIDを受信機に受信させ、受信エリア内に存在することを通知することが可能となる。
【００６９】
また、受信機は、送信機の存在を知ることができ、自身が管理する受信エリア内に存在する送信機の個別パラメータだけをクラウドサーバ１から取得することができる。受信機は、クラウドサーバ１から取得した個別パラメータを用いることにより、自身が管理する受信エリア内に存在する送信機だけを対象とした受信処理を行うことが可能となる。
【００７０】
クラウドサーバ１は、それぞれの受信機にとって必要十分な個別パラメータだけを提供することができるため、個別パラメータの無駄な送受信を抑えることができる。
【００７１】
制御フレームを用いて送信される情報がデバイスIDであり、デバイスIDに基づいて個別パラメータが取得されるため、デバイスIDと比べてデータ量が大きい個別パラメータを登録するための処理を低ビットレートの通信方式によって実現することが可能となる。制御フレームを用いて個別パラメータ自体をそれぞれの送信機から送信することも可能であるが、この場合、デバイスIDだけを送信する場合と比べてデータ量が多くなり、低ビットレートの通信方式によっては処理が困難になる。
【００７２】
なお、システム共通パラメータの数は１つに限られない。複数のシステム共通パラメータが予め用意されている場合、制御フレームの受信処理は、例えば、システム共通パラメータを切り替えて行われる。
【００７３】
また、複数のシステム共通パラメータを用いた制御フレームの受信処理が、それぞれの受信機において並行して行われるようにしてもよい。この場合、パラメータ空間から、受信機が処理できる程度のシステム共通パラメータが割り当てられ、制御フレームの受信処理に用いられる。
【００７４】
複数のシステム共通パラメータを用いて制御フレームの受信処理が行われるようにすることにより、制御フレームの通信衝突を低減することが可能となる。
【００７５】
図１の通信システムにおける一連の処理についてはフローチャートを参照して後述する。
【００７６】
＜通信方式の例＞
ここで、送信機と受信機の間で行われるLPWA通信の通信方式について説明する。ここで説明する通信方式の詳細については、上記特許文献１に記載されている。
【００７７】
図６は、チャープ変調の例を示す図である。
【００７８】
送信機と受信機の間のLPWA通信にはチャープ変調が用いられる。図６の横軸は時間を表し、縦軸は周波数を表す。
【００７９】
上述したように、送信機と受信機の間の通信は920MHz帯を用いて行われる。920MHz帯には、所定の周波数帯域幅のチャネルが複数設定される。
【００８０】
図６に示す主信号は、チャープ変調後の送信信号である。主信号の中心周波数は925MHzであり、時間は0.2秒である。また、主信号のチャープ幅（Chirp BW）は101.562KHzである。より詳細には、主信号のチャープレート（Chirp Rate）は6.348KHzである。79.98Hzの変化を6μs刻みの25.9stepで実現した場合、時間は157.7μsかかることになる。
【００８１】
チャープ変調された複数の送信信号は、図７に示すように、それぞれの送信タイミングを時間方向にずらすことによって、同一チャネル内において多重化される。
【００８２】
チャープ変調されたそれぞれの送信信号の送信は、既知のタイミングで開始される。図７に示すグリッド時間は、それぞれの送信信号の送信タイミングを表す。
【００８３】
送信パラメータに含まれる周波数分割多重化パラメータにより、例えば、制御フレームやデータフレームの送信に用いられるチャネルが指定される。また、時分割多重化パラメータにより、例えば、チャープ変調されたそれぞれの送信信号の送信タイミングが指定される。
【００８４】
図６に示されるように、チャープ変調された送信信号に対しては、狭帯域変調がさらに施される。狭帯域変調を用いることにより、主信号の帯域幅を10KHz以下とすることが可能となる。狭帯域変調として、BPSK(Binary Phase Shift Keying)、QPSK(Quadrature Phase Shift Keying)などの位相変位変調が用いられる。GMSK(Gaussian filtered Minimum Shift Keying)などの最小偏移変調が用いられるようにしてもよい。
【００８５】
送信機と受信機の間で行われるLPWA通信の通信方式として、チャープ変調を用いた通信方式以外の各種の通信方式を採用することが可能である。
【００８６】
＜各装置の構成例＞
・送信機の構成
図８は、送信機の構成例を示すブロック図である。
【００８７】
図８に示すように、送信機１１は、送信データ生成部２１、制御部２２、LPWA通信部２３、およびGPS受信部２４から構成される。
【００８８】
送信データ生成部２１は、受信機に対して送信する送信データを生成する。例えば位置情報を送信する場合、送信データ生成部２１は、GPS受信部２４から供給された位置情報を含む送信データを生成する。
【００８９】
画像、音声、気温、湿度、加速度、角速度、照度などの、位置情報以外の各種のデータが送信されるようにすることが可能である。この場合、送信データ生成部２１は、送信機１１に設けられたセンサにより検出されたこれらのデータを取得し、送信データを生成する。送信データ生成部２１により生成された送信データは制御部２２に出力される。
【００９０】
制御部２２は、CPU(Central Processing Unit)、ROM(Read Only Memory)、RAM(Random Access Memory)などにより構成される。制御部２２は、所定のプログラムをCPUにより実行し、送信機１１の全体の動作を制御する。
【００９１】
制御部２２は、制御フレームやデータフレームを生成し、LPWA通信部２３に出力する。また、制御部２２は、送信パラメータをLPWA通信部２３に出力し、データの送信に用いるパラメータとして設定する。
【００９２】
LPWA通信部２３は、制御部２２から供給された送信パラメータを用いて制御フレームやデータフレームを送信する。
【００９３】
GPS受信部２４は、GPS信号を受信し、GPS信号に含まれる時刻情報を制御部２２に出力する。また、GPS受信部２４は、GPS信号を処理することによって得られた1PPS(Pulse Per Second)信号をLPWA通信部２３に出力する。GPS受信部２４が出力する信号により、受信機との間での時間の同期が確立される。
【００９４】
また、GPS受信部２４は、GPS信号を受信することによって測位を行い、送信機１１の位置情報を送信データ生成部２１に出力される。
【００９５】
図９は、図８の制御部２２の機能構成例を示すブロック図である。
【００９６】
図９に示すように、制御部２２においては、送信パラメータ設定部３１、デバイスID記憶部３２、制御フレーム生成部３３、およびデータフレーム生成部３４が実現される。これらの機能部のうちの少なくとも一部は、制御部２２のCPUにより所定のプログラムが実行されることによって実現される。
【００９７】
送信パラメータ設定部３１は、送信パラメータをLPWA通信部２３、制御フレーム生成部３３、データフレーム生成部３４に設定する。
【００９８】
例えば、送信パラメータ設定部３１は、制御フレームの送信時、システム共通パラメータに含まれる共通の時分割多重化パラメータと共通の周波数分割多重化パラメータをLPWA通信部２３に設定し、共通の同期パターン情報を制御フレーム生成部３３に設定する。
【００９９】
また、送信パラメータ設定部３１は、データフレームの送信時、個別パラメータに含まれる時分割多重化パラメータと周波数分割多重化パラメータをLPWA通信部２３に設定し、同期パターン情報をデータフレーム生成部３４に設定する。
【０１００】
送信パラメータ設定部３１には、システム共通パラメータと個別パラメータの情報が予め設定されている。送信パラメータ設定部３１による送信パラメータの設定は、例えばGPS受信部２４から供給された時刻情報を参照して行われる。
【０１０１】
デバイスID記憶部３２は、送信機１１の識別情報であるデバイスIDを記憶する。デバイスID記憶部３２は、制御フレームの送信時、デバイスIDを制御フレーム生成部３３に出力する。デバイスID記憶部３２が記憶するデバイスIDは、適宜、データフレーム生成部３４に供給され、データフレームに含められる。
【０１０２】
制御フレーム生成部３３は、制御フレームの送信時、共通の同期パターン情報により表されるパターンの同期信号をデバイスIDに付加し、制御フレームを生成する。制御フレーム生成部３３は、生成した制御フレームをLPWA通信部２３に出力する。
【０１０３】
データフレーム生成部３４は、送信データ生成部２１から供給された送信データに同期信号を付加し、データフレームを生成する。データフレームに含まれる同期信号は、個別パラメータに含まれる同期パターン情報により表されるパターンの同期信号である。データフレーム生成部３４は、生成したデータフレームをLPWA通信部２３に出力する。
【０１０４】
図１０は、図８のLPWA通信部２３の構成例を示すブロック図である。
【０１０５】
図１０に示すように、LPWA通信部２３は、タイミングコントローラ４１、BPSK変調部４２、チャープ信号生成部４３、チャープ変調部４４、PLL４５、基準クロック生成部（TCXO）４６、および増幅部４７から構成される。
【０１０６】
制御部２２から出力された時分割多重化パラメータはタイミングコントローラ４１に入力され、周波数分割多重化パラメータはチャープ信号生成部４３に入力される。制御部２２から出力された時分割多重化パラメータにより、例えばデータの送信タイミングが指定される。また、周波数分割多重化パラメータにより、例えばデータの送信に用いるチャネルが指定される。周波数分割多重化パラメータにより、チャープ信号の傾きなどが指定されるようにしてもよい。制御部２２から出力された制御フレームやデータフレームのデータはBPSK変調部４２に入力される。
【０１０７】
タイミングコントローラ４１は、制御部２２から供給された時分割多重化パラメータに基づいて、BPSK変調部４２、チャープ信号生成部４３、増幅部４７の各部における処理のタイミングを制御する。
【０１０８】
タイミングコントローラ４１による処理により、制御フレームやデータフレームの送信タイミングが時分割多重化パラメータに従って制御されることになる。タイミングコントローラ４１によるタイミングの制御は、GPS受信部２４から供給された1PPS信号を基準として行われる。
【０１０９】
BPSK変調部４２は、制御部２２から供給されたフレームデータに対してBPSK変調を施し、BPSK変調後のフレームデータをチャープ変調部４４に出力する。
【０１１０】
チャープ信号生成部４３は、制御部２２から供給された周波数分割多重化パラメータに基づいてチャープ信号を生成し、チャープ変調部４４に出力する。チャープ信号生成部４３による処理により、制御フレームやデータフレームの送信に用いるチャネルなどが、周波数分割多重化パラメータに従って制御されることになる。
【０１１１】
チャープ変調部４４は、BPSK変調部４２から供給されたフレームデータを、チャープ信号生成部４３から供給されたチャープ信号を用いて変調（チャープ変調）する。チャープ変調部４４は、チャープ変調後のフレームデータをPLL４５に出力する。
【０１１２】
PLL４５は、チャープ変調部４４から供給されたフレームデータに応じた、所定の周波数の送信信号を生成し、増幅部４７に出力する。図１０に示されるように、PLL４５は、分周部５１、位相比較部５２、LPF５３、およびVCO５４を有する。基準クロック生成部４６により生成された例えば26MHzの基準クロックは位相比較部５２に入力される。
【０１１３】
増幅部４７は、PLL４５から供給された送信信号を増幅し、アンテナから送信する。
【０１１４】
・受信機の構成
図１１は、受信機の構成例を示すブロック図である。
【０１１５】
図１１に示すように、受信機１２は、LPWA通信部１１１、GPS受信部１１２、制御部１１３、およびネットワーク通信部１１４から構成される。
【０１１６】
LPWA通信部１１１は、制御部１１３から供給された送信パラメータを用いて、送信機１１から送信されてきた制御フレームやデータフレームを受信する。LPWA通信部１１１は、受信した制御フレームやデータフレームを制御部１１３に出力する。
【０１１７】
GPS受信部１１２は、GPS信号を受信し、GPS信号に含まれる時刻情報を制御部１１３に出力する。また、GPS受信部２４は、GPS信号を処理することによって得られた1PPS信号をLPWA通信部１１１に出力する。GPS受信部１１２が出力する信号により、送信機との間で時間の同期が確立される。
【０１１８】
制御部１１３は、CPU、ROM、RAMなどにより構成される。制御部１１３は、所定のプログラムをCPUにより実行し、受信機１２の全体の動作を制御する。
【０１１９】
制御部１１３は、送信パラメータをLPWA通信部１１１に出力し、データの受信に用いるパラメータとして設定する。また、制御部１１３は、LPWA通信部１１１から供給された制御フレームを解析することによってデバイスIDを取得するとともに、データフレームを解析することによって送信データを取得する。制御部１１３により取得されたデバイスIDと送信データはネットワーク通信部１１４に供給される。
【０１２０】
ネットワーク通信部１１４は、インターネット２のインタフェースである。ネットワーク通信部１１４は、クラウドサーバ１を含む、インターネット２に接続された各装置との間で通信を行う。
【０１２１】
例えば、ネットワーク通信部１１４は、制御部１１３から供給されたデバイスIDをクラウドサーバ１に送信する。ネットワーク通信部１１４は、デバイスIDを送信することに応じてクラウドサーバ１から送信されてきた個別パラメータを受信する。クラウドサーバ１から送信されてきた個別パラメータは、受信機１２が管理する受信エリア内に存在する送信機が送信するデータの受信に用いられる送信パラメータである。ネットワーク通信部１１４は、クラウドサーバ１から送信されてきた個別パラメータを制御部１１３に出力する。
【０１２２】
また、ネットワーク通信部１１４は、制御部１１３から供給された位置情報などの送信データを、インターネット２を介して所定のサーバに送信する。
【０１２３】
図１２は、図１１の制御部１１３の機能構成例を示すブロック図である。
【０１２４】
図１２に示すように、制御部１１３においては、送信パラメータ取得部１２１、受信対象管理部１２２、送信パラメータ設定部１２３、制御フレーム解析部１２４、およびデータフレーム解析部１２５が実現される。これらの機能部のうちの少なくとも一部は、制御部１１３のCPUにより所定のプログラムが実行されることによって実現される。
【０１２５】
送信パラメータ取得部１２１は、制御フレーム解析部１２４から供給されたデバイスIDをネットワーク通信部１１４に出力し、クラウドサーバ１に送信させる。送信パラメータ取得部１２１は、クラウドサーバ１から送信され、ネットワーク通信部１１４により受信された個別パラメータを取得し、送信パラメータ設定部１２３に出力する。
【０１２６】
受信対象管理部１２２は、制御フレーム解析部１２４から供給されたデバイスIDを、受信対象とする送信機のデバイスIDとして管理する。受信対象管理部１２２により管理されるデバイスIDは、適宜、送信パラメータ設定部１２３に供給される。
【０１２７】
送信パラメータ設定部１２３は、送信パラメータをLPWA通信部１１１に設定する。送信パラメータ設定部１２３は、制御フレームの受信時、システム共通パラメータを設定し、データフレームの受信時、送信パラメータ取得部１２１により取得された個別パラメータを設定する。
【０１２８】
送信パラメータ設定部１２３には、システム共通パラメータの情報が予め設定されている。送信パラメータ設定部１２３による送信パラメータの設定は、例えばGPS受信部１１２から供給された時刻情報を参照して行われる。
【０１２９】
制御フレーム解析部１２４は、LPWA通信部１１１から供給された制御フレームを解析し、デバイスIDを取得する。制御フレーム解析部１２４は、制御フレームから取得したデバイスIDを送信パラメータ取得部１２１と受信対象管理部１２２に出力する。
【０１３０】
データフレーム解析部１２５は、LPWA通信部１１１から供給されたデータフレームを解析し、データフレームに格納されている送信データを取得する。データフレーム解析部１２５により取得された送信データはネットワーク通信部１１４に出力され、インターネット２を介して所定のサーバに送信される。
【０１３１】
図１３は、図１１のLPWA通信部１１１の構成例を示すブロック図である。
【０１３２】
図１３に示すように、LPWA通信部１１１は、増幅部１３１、BPF(Band Pass Filter)１３２、乗算部１３３、発振部１３４、LPF(Low Pass Filter)１３５、AD変換部１３６、同期信号生成部１３７を有する。また、LPWA通信部１１１は、相関演算部１３８、ANDゲート１３９、タイミングコントローラ１４０、デチャープ部１４１、LPF１４２、およびBPSK復調部１４３を有する。
【０１３３】
制御部１１３から出力された時分割多重化パラメータはタイミングコントローラ１４０に入力され、周波数分割多重化パラメータは発振部１３４に入力される。制御部１１３から出力された時分割多重化パラメータにより、例えばデータの受信タイミングが指定される。また、周波数分割多重化パラメータにより、例えばデータの受信に用いるチャネルが指定される。制御部１１３から出力された同期パターン情報は同期信号生成部１３７に入力される。
【０１３４】
増幅部１３１は、アンテナから供給された受信信号を増幅し、BPF１３２に出力する。
【０１３５】
BPF１３２は、受信信号から所定の周波数成分を除去し、所定の周波数成分を除去した受信信号を乗算部１３３に出力する。
【０１３６】
発振部１３４は、制御部１１３から供給された周波数分割多重化パラメータに従って発振し、送受信で用いる所定の周波数のキャリア信号を生成する。発振部１３４は、所定の周波数のキャリア信号を乗算部１３３に供給する。
【０１３７】
乗算部１３３は、BPF１３２から供給された受信信号と発振部１３４から供給されたキャリア信号を乗算し、乗算結果の受信信号をLPF１３５に供給する。
【０１３８】
LPF１３５は、乗算部１３３から供給された受信信号の高域成分を除去し、高域成分を除去した受信信号をAD変換部１３６に出力する。
【０１３９】
AD変換部１３６は、LPF１３５から供給された受信信号のAD変換を行い、AD変換を行うことによって得られたデジタルの受信信号を相関演算部１３８とデチャープ部１４１に出力する。
【０１４０】
同期信号生成部１３７は、制御部１１３から供給された同期パターン情報により指定されるパターンの同期信号を生成し、相関演算部１３８に出力する。同期信号生成部１３７は、制御フレームの受信時、共通の同期パターン情報により表されるパターンの同期信号を生成し、データフレームの受信時、個別パラメータに含まれる同期パターン情報により表されるパターンの同期信号を生成する。
【０１４１】
相関演算部１３８は、AD変換部１３６から供給された受信信号と同期信号生成部１３７から供給された同期信号とを比較し、比較結果を示す情報をANDゲート１３９に出力する。相関演算部１３８により、制御フレームの同期信号、またはデータフレームの同期信号が検出される。
【０１４２】
ANDゲート１３９は、タイミングコントローラ１４０から供給されたゲート信号と、相関演算部１３８から供給された比較結果を示す情報がともに真である場合、復調の開始を指示する制御信号をデチャープ部１４１に供給する。
【０１４３】
タイミングコントローラ１４０は、制御部１１３から供給された時分割多重化パラメータに基づいて、復調のタイミングを制御するゲート信号を生成し、ANDゲート１３９に出力する。
【０１４４】
タイミングコントローラ１４０による処理により、制御フレームやデータフレームの受信タイミングが時分割多重化パラメータに従って制御されることになる。タイミングコントローラ１４０によるタイミングの制御は、GPS受信部１１２から供給された1PPS信号を基準として行われる。
【０１４５】
デチャープ部１４１は、ANDゲート１３９から復調の開始が指示された場合、AD変換部１３６から供給された受信信号のデチャープ（チャープ変調の復調）を行い、デチャープを行うことによって得られた復調信号をLPF１４２に出力する。
【０１４６】
LPF１４２は、復調信号の高域成分を除去し、高域成分を除去した復調信号をBPSK復調部１４３に出力する。
【０１４７】
BPSK復調部１４３は、LPF１４２から供給された復調信号に対してBPSK復調を施し、復調結果としての制御フレームやデータフレームのフレームデータを制御部１１３に出力する。
【０１４８】
・クラウドサーバの構成
図１４は、クラウドサーバ１の構成例を示すブロック図である。
【０１４９】
図１４に示すように、クラウドサーバ１はコンピュータにより構成される。クラウドサーバ１が１台のコンピュータにより構成されるようにしてもよいし、複数台のコンピュータにより構成されるようにしてもよい。クラウドサーバ１が複数台のコンピュータにより構成される場合、それらのコンピュータは、インターネット２を介して協働した情報処理を行い、受信機に対する送信パラメータの登録などを行う。
【０１５０】
CPU２０１、ROM２０２、RAM２０３は、バス２０４により相互に接続される。CPU２０１においては、所定のプログラムが実行されることにより送信パラメータ管理部２０１Ａが実現される。
【０１５１】
送信パラメータ管理部２０１Ａは、デバイスIDと紐付けて、それぞれの送信機の個別パラメータを管理する。それぞれの送信機の個別パラメータは例えば記憶部２０８に記憶されている。
【０１５２】
また、送信パラメータ管理部２０１Ａは、デバイスIDが受信機から送信され、通信部２０９により受信された場合、受信されたデバイスIDに紐付けられている個別パラメータを記憶部２０８から読み出して取得する。送信パラメータ管理部２０１Ａは、記憶部２０８から取得した個別パラメータを通信部２０９に出力し、デバイスIDを送信してきた受信機に対して送信させる。
【０１５３】
バス２０４には、さらに、入出力インタフェース２０５が接続される。入出力インタフェース２０５には、キーボード、マウスなどよりなる入力部２０６、ディスプレイ、スピーカなどよりなる出力部２０７が接続される。また、入出力インタフェース２０５には、ハードディスクや不揮発性のメモリなどよりなる記憶部２０８、ネットワークインタフェースなどよりなる通信部２０９、リムーバブルメディア２１１を駆動するドライブ２１０が接続される。
【０１５４】
＜各装置の動作＞
ここで、以上のような構成を有する各装置の動作について説明する。
【０１５５】
・送信機の動作
はじめに、図１５のフローチャートを参照して、送信機１１の送信処理について説明する。
【０１５６】
ステップＳ１において、制御部２２の送信パラメータ設定部３１は、制御フレームの送信タイミングであるか否かを判定する。
【０１５７】
制御フレームの送信タイミングであるとステップＳ１において判定された場合、ステップＳ２において、制御フレーム生成部３３は制御フレームを生成する。
【０１５８】
制御フレームの送信タイミングであると判定した場合、送信パラメータ設定部３１は、システム共通パラメータに含まれる共通の時分割多重化パラメータと共通の周波数分割多重化パラメータをLPWA通信部２３に設定する。また、送信パラメータ設定部３１は、共通の同期パターン情報を制御フレーム生成部３３に設定する。制御フレーム生成部３３は、送信パラメータ設定部３１により設定された共通の同期パターン情報により表されるパターンの同期信号をデバイスIDに付加することによって制御フレームを生成することになる。
【０１５９】
ステップＳ３において、LPWA通信部２３は、制御フレーム生成部３３により生成された制御フレームを送信する。制御フレームの送信は、送信パラメータ設定部３１により設定されたシステム共通パラメータに含まれる共通の時分割多重化パラメータと共通の周波数分割多重化パラメータに従って行われる。
【０１６０】
制御フレームの送信タイミングではないとステップＳ１において判定された場合、ステップＳ２，Ｓ３の処理はスキップされる。
【０１６１】
ステップＳ４において、送信パラメータ設定部３１は、データフレームの送信タイミングであるか否かを判定する。位置情報などの送信データは、例えば所定の周期で送信される。
【０１６２】
データフレームの送信タイミングであるとステップＳ４において判定された場合、ステップＳ５において、データフレーム生成部３４はデータフレームを生成する。
【０１６３】
データフレームの送信タイミングであると判定した場合、送信パラメータ設定部３１は、個別パラメータに含まれる時分割多重化パラメータと周波数分割多重化パラメータをLPWA通信部２３に設定し、同期パターン情報をデータフレーム生成部３４に設定する。データフレーム生成部３４は、送信パラメータ設定部３１により設定された同期パターン情報により表されるパターンの同期信号を送信データに付加することによってデータフレームを生成することになる。
【０１６４】
ステップＳ６において、LPWA通信部２３は、データフレーム生成部３４により生成されたデータフレームを送信する。データフレームの送信は、送信パラメータ設定部３１により設定された個別パラメータに含まれる時分割多重化パラメータと周波数分割多重化パラメータに従って行われる。
【０１６５】
データフレームの送信が行われた後、または、データフレームの送信タイミングではないとステップＳ４において判定された場合、ステップＳ１に戻り、以上の処理が繰り返される。
【０１６６】
以上の処理が、それぞれの送信機１１により行われる。
【０１６７】
これにより、それぞれの送信機１１は、複数の他の送信機１１がそれぞれの制御フレームを送信するときに用いる多重化方式と同じ多重化方式で多重化して制御フレームを送信することになる。また、それぞれの送信機１１は、複数の他の送信機１１がそれぞれの制御フレームを送信するときに用いる同期信号と同じ同期信号を付加して制御フレームを送信することになる。
【０１６８】
以上においては、制御フレームの送信が所定の周期で繰り返されるものとしたが、例えば送信機１１の電源オンのタイミングを基準として、基準のタイミングからの時間経過に伴って、制御フレームの送信周期が長くなるようにしてもよい。制御フレームの送信周期の調整は、例えば制御フレーム生成部３３による制御に従って行われる。
【０１６９】
これにより、受信機１２において自身の個別パラメータが既に登録されている場合に、制御フレームが繰り返し送信される回数を抑えることが可能となる。制御フレームの送信周期が長くなるのではなく、基準のタイミングから所定の時間が経過した場合、それ以降の制御フレームの送信が停止されるようにしてもよい。
【０１７０】
・受信機の動作
次に、図１６のフローチャートを参照して、個別パラメータを取得する受信機１２の処理について説明する。
【０１７１】
ステップＳ２１において、送信パラメータ設定部１２３は、システム共通パラメータをLPWA通信部１１１に設定する。LPWA通信部１１１においては、システム共通パラメータに従って、制御フレームの受信処理が行われる。
【０１７２】
ステップＳ２２において、制御フレーム解析部１２４は、制御フレームがLPWA通信部１１１により受信されたか否かを判定する。
【０１７３】
制御フレームが受信されたとステップＳ２２において判定した場合、ステップＳ２３において、制御フレーム解析部１２４は、LPWA通信部１１１から供給された制御フレームを解析し、デバイスIDを取得する。
【０１７４】
ステップＳ２４において、ネットワーク通信部１１４は、制御フレーム解析部１２４により取得されたデバイスIDをクラウドサーバ１に送信する。クラウドサーバ１からは、デバイスIDに紐付けられた個別パラメータが送信されてくる。
【０１７５】
ステップＳ２５において、送信パラメータ取得部１２１は、クラウドサーバ１から送信され、ネットワーク通信部１１４により受信された個別パラメータを取得する。取得された個別パラメータは、送信パラメータ設定部１２３に供給され、LPWA通信部１１１に設定される。
【０１７６】
ステップＳ２６において、受信対象管理部１２２は、制御フレーム解析部１２４により取得されたデバイスIDを、受信対象とする送信機に関する情報として登録する。
【０１７７】
受信対象とする送信機に関する情報が登録された後、または、制御フレームを受信していないとステップＳ２２において判定された場合、ステップＳ２１に戻り、以上の処理が繰り返される。
【０１７８】
これにより、それぞれの受信機１２は、複数の送信機１１が制御フレームを送信するときに用いる多重化方式と同じ多重化方式で多重化して所定の送信機１１から送信されてきた制御フレームを受信することになる。また、それぞれの受信機１２は、複数の送信機１１がそれぞれの制御フレームを送信するときに用いる同期信号と同じ同期信号を付加して所定の送信機１１から送信されてきた制御フレームを受信することになる。
【０１７９】
制御フレームに含まれるデバイスIDが受信対象の送信機に関する情報として登録されているか否かが判定されるようにしてもよい。
【０１８０】
例えば、制御フレームに含まれるデバイスIDが既に登録されている場合、デバイスIDに基づいて個別パラメータをクラウドサーバ１から取得する処理が行われない。これにより、既に登録済みのデバイスIDをクラウドサーバ１から取得する処理が行われるのを防ぐことが可能となる。
【０１８１】
次に、図１７のフローチャートを参照して、受信機１２の受信処理について説明する。
【０１８２】
図１７の処理は、例えば、図１６の処理が行われることにより、所定の送信機の個別パラメータが取得された後に行われる。
【０１８３】
ステップＳ４１において、送信パラメータ設定部１２３は、個別パラメータをLPWA通信部１１１に設定する。LPWA通信部１１１においては、個別パラメータに基づいて、データフレームの受信処理が行われる。
【０１８４】
ステップＳ４２において、データフレーム解析部１２５は、データフレームがLPWA通信部１１１により受信されたか否かを判定する。
【０１８５】
データフレームが受信されたとステップＳ４２において判定した場合、ステップＳ４３において、データフレーム解析部１２５は、LPWA通信部１１１から供給されたデータフレームを解析し、送信データを取得する。データフレーム解析部１２５により取得された送信データは、例えばネットワーク通信部１１４に出力され、送信データを管理する所定のサーバに送信される。
【０１８６】
送信データが取得された後、または、データフレームを受信していないとステップＳ４２において判定された場合、ステップＳ４１に戻り、以上の処理が繰り返される。
【０１８７】
以上の処理が、それぞれの受信機１２により行われる。
【０１８８】
・クラウドサーバの動作
次に、図１８のフローチャートを参照して、個別パラメータを提供するクラウドサーバ１の処理について説明する。
【０１８９】
ステップＳ６１において、クラウドサーバ１の通信部２０９は、受信機１２から送信されてきたデバイスIDを受信する。通信部２０９において受信されたデバイスIDは送信パラメータ管理部２０１Ａに供給される。
【０１９０】
ステップＳ６２において、送信パラメータ管理部２０１Ａは、通信部２０９により受信されたデバイスIDに紐付けられている個別パラメータを記憶部２０８から読み出して取得する。
【０１９１】
ステップＳ６３において、通信部２０９は、送信パラメータ管理部２０１Ａにより取得された個別パラメータを、デバイスIDを送信してきた受信機１２に対して送信する。
【０１９２】
以上の処理が、所定の受信機１２からデバイスIDが送信されてくる毎に行われる。クラウドサーバ１に対してデバイスIDを送信した受信機１２には、複数の送信機１１の個別パラメータが登録される。
【０１９３】
以上の処理により、クラウドサーバ１は、それぞれの受信機１２にとって必要十分な個別パラメータを提供することができる。これにより、個別パラメータの無駄な送受信を抑えることが可能となる。
【０１９４】
＜変形例＞
・変形例１
送信機と受信機の間の通信が片方向の通信であるとしたが、双方向の通信であってもよい。
【０１９５】
送信機と受信機の間の通信が例えば双方向の通信である場合、送信機が送信した制御フレームを受信した受信機は、制御フレームを送信してきた送信機に対してACKを返信するとともに、上述したようにして個別パラメータを取得する。
【０１９６】
送信機は、ACKが返信されてきた場合、それにより、自身の個別パラメータが受信機において登録されたことを確認することができる。送信機は、それ以降、制御フレームの送信を停止することができる。
【０１９７】
・変形例２
同期パターン情報が個別パラメータに含めてクラウドサーバ１から受信機に提供されるものとしたが、同期信号やデータに重畳する乱数パターン（暗号鍵）が提供されるようにしてもよい。これにより、通信の秘匿性を向上させることが可能となる。
【０１９８】
この場合、受信機は、クラウドサーバ１から提供された乱数パターンを同期信号およびデータに重畳し、送信機が送信するデータフレームに含まれる同期信号を検出し、データを取得する。送信機は、受信機に提供された乱数パターンと同じ乱数パターンを同期信号およびデータに重畳し、乱数パターンの重畳により暗号化された同期信号およびデータを含むデータフレームを送信することになる。
【０１９９】
・変形例３
データフレームの送信時、送信機から同じデータフレームが複数回繰り返し送信されるようにしてもよい。受信機においては、複数の受信信号が合成され、１つのデータフレームの受信信号が取得される。これにより、受信信号のS/N比を向上させることが可能となる。
【０２００】
このとき、同じ内容のデータを複数回送信することにより、受信エリア内に存在する１台の送信機が通信帯域を占有する時間が長くなる。通信帯域を占有する時間が長くなると混信の発生頻度が高まるため、上記特許文献１に記載の通信システムにおいては、送信機毎に異なるパターンで周波数ホッピングを行うことにより、混信の発生を抑制するようになされている。この場合、個別の送信パラメータとして送信機と受信機の間で周波数ホッピングのパターンを共有しておき、受信機は、送信機と同じ周波数ホッピングのパターンの周波数の受信処理を行う。
【０２０１】
このように、データフレームについては、受信信号のS/N比を向上させることで、受信エリアを広げることが可能となる。
【０２０２】
一方、制御フレームについては、システム共通パラメータを用いて送信が行われるが、システム共通パラメータに含める周波数ホッピングのパターンの数が少ないと混信が発生しやすくなり、システム共通パラメータに含める周波数ホッピングのパターンの数が多いと受信機の受信処理の負荷が大きくなる。このため、混信の発生を抑制するためにデータフレームと同様に周波数ホッピングを行うことは難しい。
【０２０３】
このため、制御フレームについては、受信信号の合成によるS/N比向上が難しく、データフレームと制御フレームとで受信エリアに差が出てしまう。
【０２０４】
制御フレームに誤り訂正符号が含まれる場合、誤り訂正の性能を調整することにより、制御フレームの受信エリアを広げることが可能となる。このように、制御フレームに誤り訂正符号が含まれるようにしてもよい。なお、データフレームと制御フレームは同じフレームフォーマットであるため、誤り訂正符号については、データフレームと制御フレームの両方に付加されるようにしてもよい。
【０２０５】
誤り訂正の性能の調整例１
制御フレームのペイロードの情報量は、データフレームのペイロードの情報量よりも小さい。したがって、符号語のサイズをデータフレームの符号語と同じサイズにしたまま、制御フレームの情報語のサイズを小さくすることができ、結果として、制御フレームの誤り訂正符号の訂正ビット数を増加させることができる。
【０２０６】
これにより、制御フレームの受信エリアを広げることができ、データフレームと制御フレームの受信エリアの広さの差異を解消することが可能となる。
【０２０７】
誤り訂正の性能の調整例２
軟判定ビタビアルゴリズムのように、符号ビットの尤度を用いて誤り訂正が受信機において行われるようにしてもよい。この場合、制御フレームのペイロードの情報量がデータフレームのペイロードの情報量よりも小さいことを利用して、制御フレームのペイロード内の、使用しない部分には既知データが設定される。
【０２０８】
受信機における誤り訂正時に既知データの部分の尤度を最大値にすることで、制御フレームの誤り訂正能力を高めることができる。
【０２０９】
これによっても、制御フレームの受信エリアを広げることができ、データフレームと制御フレームの受信エリアの広さの差異を解消することが可能となる。
【０２１０】
・コンピュータの構成例
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０２１１】
インストールされるプログラムは、光ディスク（CD-ROM(Compact Disc-Read Only Memory)，DVD(Digital Versatile Disc)等）や半導体メモリなどよりなる図１４に示されるリムーバブルメディア２１１に記録して提供される。また、ローカルエリアネットワーク、インターネット、デジタル放送といった、有線または無線の伝送媒体を介して提供されるようにしてもよい。プログラムは、ROM２０２や記憶部２０８に、あらかじめインストールしておくことができる。
【０２１２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１３】
本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２１４】
本明細書に記載された効果はあくまで例示であって限定されるものでは無く、また他の効果があってもよい。
【０２１５】
本技術の実施の形態は、上述した実施の形態に限定されるものではなく、本技術の要旨を逸脱しない範囲において種々の変更が可能である。
【０２１６】
例えば、本技術は、１つの機能をネットワークを介して複数の装置で分担、共同して処理するクラウドコンピューティングの構成をとることができる。
【０２１７】
また、上述のフローチャートで説明した各ステップは、１つの装置で実行する他、複数の装置で分担して実行することができる。
【０２１８】
さらに、１つのステップに複数の処理が含まれる場合には、その１つのステップに含まれる複数の処理は、１つの装置で実行する他、複数の装置で分担して実行することができる。
【０２１９】
・構成の組み合わせ例
本技術は、以下のような構成をとることもできる。
【０２２０】
（１）
情報を送信するための設定に送信機において用いられる設定情報のうちの非共通の前記設定情報である非共通設定情報を、それぞれの前記送信機の識別情報と紐付けて保持する管理部と、
複数の前記送信機の間で共通の前記設定情報である共通設定情報を用いて所定の前記送信機から送信された前記識別情報を受信した受信機に対して、前記受信機により受信された前記識別情報と紐付けられた前記非共通設定情報を送信する通信部と
を備える情報処理装置。
（２）
前記通信部は、前記受信機からネットワークを介して送信されてきた前記識別情報を受信し、受信した前記識別情報と紐付けられた前記非共通設定情報を前記ネットワークを介して送信する
前記（１）に記載の情報処理装置。
（３）
前記設定情報は、前記送信機から送信された情報を受信するための設定に前記受信機において用いられる
前記（１）または（２）に記載の情報処理装置。
（４）
前記送信機による前記受信機に対する情報の送信は、片方向の無線通信により行われる
前記（１）乃至（３）のいずれかに記載の情報処理装置。
（５）
情報処理装置が、
情報を送信するための設定に送信機において用いられる設定情報のうちの非共通の前記設定情報である非共通設定情報を、それぞれの前記送信機の識別情報と紐付けて保持し、
複数の前記送信機の間で共通の前記設定情報である共通設定情報を用いて所定の前記送信機から送信された前記識別情報を受信した受信機に対して、前記受信機により受信された前記識別情報と紐付けられた前記非共通設定情報を送信する
情報処理方法。
（６）
情報を送信するための設定に用いる設定情報のうちの、複数の他の送信機との間で共通の前記設定情報である共通設定情報に従って自身の識別情報を送信し、非共通の前記設定情報である非共通設定情報に従って所定の情報を送信する送信部を備える
送信機。
（７）
前記送信部は、前記識別情報を予め決められた周期で繰り返し送信する
前記（６）に記載の送信機。
（８）
前記送信部は、前記識別情報の送信周期を時間の経過に応じて長くする
前記（７）に記載の送信機。
（９）
前記送信部は、前記識別情報を、前記共通設定情報により表される、前記他の送信機がそれぞれの前記識別情報を送信するときに用いる同期信号と同じ同期信号を付加して送信する
前記（６）乃至（８）のいずれかに記載の送信機。
（１０）
前記送信部は、前記識別情報を、前記共通設定情報により表される、前記他の送信機がそれぞれの前記識別情報を送信するときに用いる多重化方式と同じ方式で多重化して送信する
前記（６）乃至（９）のいずれかに記載の送信機。
（１１）
送信機が、
情報を送信するための設定に用いる設定情報のうちの、複数の他の送信機との間で共通の前記設定情報である共通設定情報に従って自身の識別情報を送信し、
非共通の前記設定情報である非共通設定情報に従って所定の情報を送信する
送信方法。
（１２）
情報を送信するための設定に送信機において用いられる設定情報のうちの、複数の前記送信機の間で共通の前記設定情報である共通設定情報に従って所定の前記送信機から送信された識別情報を受信する受信部と、
非共通の前記設定情報である非共通設定情報をそれぞれの前記送信機の前記識別情報と紐付けて保持する情報処理装置から、受信された前記識別情報に紐付けられた前記非共通設定情報を取得する取得部と
を備える受信機。
（１３）
前記取得部は、受信された前記識別情報をネットワークを介して前記情報処理装置に送信し、前記情報処理装置から前記ネットワークを介して送信されてきた前記非共通設定情報を受信して取得する
前記（１２）に記載の受信機。
（１４）
前記受信部は、前記送信機が送信する情報を受信するための設定を前記非共通設定情報に従って行い、前記非共通設定情報と同じ情報を用いて前記送信機から送信されてきた所定の情報を受信する
前記（１２）または（１３）に記載の受信機。
（１５）
前記受信部は、前記共通設定情報により表される、複数の前記送信機がそれぞれの前記識別情報を送信するときに用いる同期信号と同じ同期信号を検出し、前記同期信号に付加して送信されてきた前記識別情報を受信する
前記（１２）乃至（１４）のいずれかに記載の受信機。
（１６）
前記受信部は、前記共通設定情報により表される、複数の前記送信機がそれぞれの前記識別情報を送信するときに用いる多重化方式と同じ方式で多重化して送信されてきた前記識別情報を受信する
前記（１２）乃至（１５）のいずれかに記載の受信機。
（１７）
受信機が、
情報を送信するための設定に送信機において用いられる設定情報のうちの、複数の前記送信機の間で共通の前記設定情報である共通設定情報に従って所定の前記送信機から送信された識別情報を受信し、
非共通の前記設定情報である非共通設定情報をそれぞれの前記送信機の前記識別情報と紐付けて保持する情報処理装置から、受信された前記識別情報に紐付けられた前記非共通設定情報を取得する
受信方法。
【符号の説明】
【０２２１】
１  クラウドサーバ，  １１  送信機，  １２  受信機，  ２１  送信データ生成部，  ２２  制御部，  ２３  LPWA通信部，  ２４  GPS受信部，  ３１  送信パラメータ設定部，  ３２  デバイスID記憶部，  ３３  制御フレーム生成部，  ３４  データフレーム生成部，  １１１  LPWA通信部，  １１２  GPS受信部，  １１３  制御部，  １１４  ネットワーク通信部，  １２１  送信パラメータ取得部，  １２２  受信対象管理部，  １２３  送信パラメータ設定部，  １２４  制御フレーム解析部，  １２５  データフレーム解析部
【図１】
2019230439.tif 000003
【図２】
2019230439.tif 000004
【図３】
2019230439.tif 000005
【図４】
2019230439.tif 000006
【図５】
2019230439.tif 000007
【図６】
2019230439.tif 000008
【図７】
2019230439.tif 000009
【図８】
2019230439.tif 000010
【図９】
2019230439.tif 000011
【図１０】
2019230439.tif 000012
【図１１】
2019230439.tif 000013
【図１２】
2019230439.tif 000014
【図１３】
2019230439.tif 000015
【図１４】
2019230439.tif 000016
【図１５】
2019230439.tif 000017
【図１６】
2019230439.tif 000018
【図１７】
2019230439.tif 000019
【図１８】
2019230439.tif 000020
【国際調査報告】
2019230439.tif 000021
2019230439.tif 000022
2019230439.tif 000023
2019230439.tif 000024